(57)【要約】【発明の課題】  本発明の課題は、電源表示灯を設けることにより、携帯用電動工具本体に電源電圧が印加されていることを容易に判断できるとともに、周囲が暗い状況において、携帯用電動工具の位置を容易に把握することを可能とするものである。【解決手段】上記課題は電源電圧が印加されると点灯し、運転スイッチを入れ電動機が動作すると消灯する電源表示灯を設け、電動機に過電流が流れると該電源表示灯を点滅点灯または発光色を変えて点灯させる制御回路を設け、また上記電源表示灯を取り替え自在にすることにより達成される。【選択図】  図１
2005238426.tif 000002
【特許請求の範囲】
【請求項１】
電動機と、該電動機を動力として駆動する先端工具を備えた電動工具において、電源電圧が印加されると通電状態であることを教示する電源表示灯を設けたことを特徴とする携帯用電動工具。
【請求項２】
前記電源表示灯は、前記電動機が動作していない際に点灯あるいは点滅することで通電状態を教示することを特徴とする請求項１記載の携帯用電動工具。
【請求項３】
前記電源表示灯は、前記電動機が作動中には消灯することを特徴とする請求項１あるいは請求項２記載の携帯用電動工具。
【請求項４】
前記先端工具部を照射する照明装置を備えたことを特徴とする請求項１〜請求項３のいずれか１項記載の携帯用電動工具。
【請求項５】
前記電源表示灯は、前記電動機に過電流が流れたときに点灯、あるいは点滅することを特徴とする請求項１〜請求項４のいずれか１項記載の携帯用電動工具。
【請求項６】
前記電源表示灯の前記点灯あるいは点滅は、前記電動機が動作していない際に点灯あるいは点滅している時とは異なる発光色で行なわれることを特徴とする請求項５記載の携帯用電動工具。
【請求項７】
前記電源表示灯は、本体最上部に設けられることを特徴とする請求項１〜請求項６のいずれか１項記載の携帯用電動工具。
【請求項８】
前記電源表示灯を取替え可能とし、作業者が任意の発光色を選択可能としたことを特徴とする請求項１〜請求項５のいずれか１項記載の携帯用電動工具。
【発明の詳細な説明】
【技術分野】
【０００１】
本発明は、電源表示灯を備えた携帯用電動工具に関するものである。
【背景技術】
【０００２】
特許文献１には、携帯用電動工具の作業性を向上させるために作業開始箇所等を照射する照明装置を設けた構成が開示されている。この照明装置は、駆動スイッチのオフロック機構であるセフティーレバーと連動してオン・オフする構成をしていた。
【０００３】
【特許文献１】特開平１１−１７０２０３号公報
【発明の開示】
【発明が解決しようとする課題】
【０００４】
上記した従来の携帯用電動工具においては、作業開始箇所等を照射する照明装置を設けたことにより、薄暗い作業現場等における作業性を向上させることができるものであるが、上記した携帯用電動工具や他の従来の携帯用電動工具では、本体に電源電圧が印加されているか否かを即座に把握することができず、スムーズに作業開始を行うことができないものであった。
【０００５】
特に蓄電池を駆動源とするものではなく、電源コードを有し商用電源を駆動源とする携帯用電動工具においては、本体に電源電圧が印加されているか否か、すなわち電源コードが電源に接続されているか否かが即座に把握することができないものであり、薄暗い作業現場においては更に把握することができず、作業性の低下を招いていた。
【０００６】
また、従来の携帯用電動工具では、薄暗い作業現場において携帯用電動工具の位置を把握することが困難であった。
【０００７】
また、従来の携帯用電動工具では、作業時に先端工具及び刃具に規定以上の過負荷が掛かり、電動機に過電流が流れたことを作業者が認識することができず、早期に寿命となってしまう場合があるものであった。
【０００８】
本発明の目的は、上記した従来の問題を解消し、本体に電源電圧が印加されていることを容易に把握することができ、作業性の良い携帯用電動工具を提供することである。
【０００９】
更には、薄暗い作業現場等において工具本体の位置を容易に把握することができ、作業性の良い携帯用電動工具を提供することである。
【００１０】
また、電動機に過電流が流れたことを教示することにより、早期に寿命となることを抑制することができる携帯用電動工具を提供することである。
【課題を解決するための手段】
【００１１】
上記目的は、電源電圧が印加されると通電状態であることを点灯あるいは点滅等によって教示する電源表示灯を設けることにより達成される。
【００１２】
また、前記電源表示灯を電動機が動作していない際に点灯あるいは点滅する構成とすることによって、薄暗い作業現場等において工具本体の位置を容易に把握することができるようになる。
【００１３】
また、前記電源表示灯が電動機に過電流が流れた際に点灯あるいは点滅する構成とすることによって、前記電動機に過電流が流れたことを作業者に教示することができ、早期に寿命となることを抑制することができるようになる。
【発明の効果】
【００１４】
本発明によれば、電源電圧が印加されると通電状態であることを点灯あるいは点滅等によって教示する電源表示灯を設けたことにより、本体に電源電圧が印加されていることを容易に把握することができ、作業性の良い携帯用電動工具を提供することができるようになる。
【００１５】
また、電源表示灯を電動機が動作していない際に点灯あるいは点滅する構成とすることによって、薄暗い作業現場等において工具本体の位置を容易に把握することができるようになる。
【００１６】
また、電源表示灯が電動機に過電流が流れた際に点灯あるいは点滅する構成とすることによって、前記電動機に過電流が流れたことを作業者に教示することができ、早期に寿命となることを抑制することができるようになる。
【発明を実施するための最良の形態】
【００１７】
本発明携帯用電動工具の一実施形態を図１〜図５を用いて説明する。なお、図１は本発明携帯用電動工具の一実施形態を示す全体側面図、図２は切断位置合わせ作業の操作状況説明図、図３は図２を斜め上部より見た要部拡大図、図４は本発明携帯用電動工具を構成する電源表示灯の光源の目視範囲を表す側面図、図５は本発明携帯用電動工具の一実施形態を示す制御回路図である。以下、携帯用電動工具としてジグソーを例に説明する。
【００１８】
図１においてジグソーは、ハンドル７に設けられた駆動スイッチ３と、駆動スイッチ３をオンすると駆動する電動機２と、電動機２の軸方向にほぼ直交する方向に延び、電動機２の回転を受けて軸方向に上下往復運動を行い被切断材料１４を切断するブレード５と、本体下部に設けられ切断作業時に被切断材料１４上を摺動しジグソー本体を安定させるベース６とが設けられている。なお、１６は一端がジグソー本体に接続され、他端が商用電源に接続可能な電源コードであり、電源コード１６が商用電源に接続されると本体に電源電圧が印可され、駆動スイッチ３をオンすれば電動機２が駆動可能な状態となる。
【００１９】
図に示すように本体前部には、ブレード５及びブレード５の切断方向前方周辺に照明光１０を照射する照明装置４が設けられている。この照明装置４は、電源コード１６を介して商用電源から印加される
切断作業において被切断材料１４の切断個所に該ブレード５を合わせるとき、ブレード５と被切断材料１４が接する個所に照明光１０を照射する照明装置４が設けられている。本体上部の周囲から死角にならない所には、電源表示灯１が設けられている。
【００２０】
上記構成において、ジグソーの電源コードのプラグをコンセントに差し込み、ジグソー本体に電源電圧が印加されると、本体前部に設けられている照明装置４および、本体上部に設けられている電源表示灯１が点灯する。このとき該電源表示灯１は、図４に示すようにジグソー本体の全周囲より認識でき、また障害物８よって遮られにくくなっている。なお、照明装置４に点灯スイッチが別途設けられている携帯用電動工具においては電源電圧が印加された状態でも照明装置４の点灯スイッチが入らないと照明装置４は点灯しない。
切断作業を行う場合は図２に示すように、被切断材料１４にベース６を当て、切断するブレード５の位置を切断方向の斜め上方から目視で合わせながら切断作業を行う。運転スイッチ３を入れ、電動機２を駆動ブレード５が上下往復運動を開始すると同時に、本体上部に設けられた電源表示灯１が消灯する。
【００２１】
ブレード５が動作し電源表示灯１が消灯した後、図３に示すように被切断材料１４上の墨線１１にブレード５の位置を合わせて切断を行う。切断作業終了後に運転スイッチ３を切ると電源表示灯１は再度点灯する。
【００２２】
図５に示す制御回路図において、交流電源１６が入ると電流が照明装置４に通電し、照明装置４が点灯する。また閉路している運転スイッチ３のＮＣ接点を通じて電流が電源表示灯１に通電し、電源表示灯１が点灯する。運転スイッチ３を入れると該運転スイッチ３のＮＯ接点が閉路し、交流電源１６の電流が電動機に通電して該電動機が動作する。同時に運転スイッチ３のＮＣ接点が開路し電源表示灯１の通電が遮断され、電源表示灯１が消灯する。このとき切断作業においてブレード５に規定以上の負荷が掛かり、電動機２に過電流が流れると、過電流センサー１２が過電流を検出し、過電流表示回路１３により、運転スイッチ３を入れたときに消灯した電源表示灯１を点滅点灯、または発光色を変えた電源表示灯１５を点灯させ、作業者に過電流が流れていることを知らせる。また電源表示灯１は取り替え自在であり、作業者は任意の発光色を選択することができる。
【図面の簡単な説明】
【００２３】
【図１】本発明携帯用電動工具の一実施形態を示すジグソーの側面図。
【図２】切断位置合わせ作業の操作状況説明図。
【図３】図２を上部より見たブレードの位置合わせ部の拡大図。
【図４】本発明による電源表示灯の目視可能範囲を示す側面図
【図５】制御回路図
【符号の説明】
【００２４】
１は電源表示灯、２は電動機、３は運転スイッチ、４は照明装置、５はブレード、６はベース、７はハンドル、８は障害物、９は電源表示灯の光、１０は照明光、１１は墨線、１２は過電流センサ、１３は過電流表示回路、１４は被切削材料、１５は発光色を変えた電源表示灯、１６は交流電源である。
【図１】
2005238426.tif 000003
【図２】
2005238426.tif 000004
【図３】
2005238426.tif 000005
【図４】
2005238426.tif 000006
【図５】
2005238426.tif 000007